(57)【要約】【課題】トレンチゲート型のパワーＭＯＳＦＥＴの構成を有する半導体装置において、ゲート絶縁膜の隅部付近の電界をさらに緩和可能な半導体装置を提供すること。【解決手段】ゲート絶縁膜１０６は、側壁下部１１１の膜厚がゲートトレンチ１１０の底面に近づくに従って徐々に厚くなるように形成されており、ゲート電極膜１０７と接する面が傾斜面１１４となっている。したがって、ゲート絶縁膜１０６の隅部は、ゆるやかな鈍角をなしている。この構造によれば、静電容量Ｃｒｓｓ、オン抵抗Ｒｏｎといった特性を維持しつつ、ゲート絶縁膜２０６の隅部付近の電界を非常に緩和することができる。【選択図】  図１
2005019668.tif 000002
【特許請求の範囲】
【請求項１】
第１導電型の第１の導電層と、
前記第１の導電層に積層させて形成してなる第１導電型の第２の導電層と、
前記第２の導電層に積層させて形成してなる第１導電型とは反対型の第２導電型の第３の導電層と、
前記第３の導電層上に選択的に形成してなる第１導電型の第１の導電領域と、
前記第３の導電層上に選択的に形成してなる第２導電型の第２の導電領域と、
前記第１の導電領域を開口させて前記第２の導電層まで達するように形成してなる溝と、
前記溝の側面及び底面上に形成してなる第１の絶縁膜と、
前記第１の絶縁膜の表面上に形成してなるゲート電極膜と、
前記第１の絶縁膜及び前記ゲート電極膜上に形成してなる第２の絶縁膜を有し、
前記第１の絶縁膜は、前記溝の側面上に形成した部分において、所定深さよりも下方の膜厚が所定深さよりも上方の膜厚よりも厚く形成されてなる半導体装置であって、
前記第１の絶縁膜は、前記溝の側面上に形成した部分において、所定深さよりも上方の膜厚はほぼ均一となるように形成され、所定深さよりも下方の膜厚は前記溝の底面に近づくに従って漸次大きくなるように形成されていることを特徴とする半導体装置。
【請求項２】
前記第１の絶縁膜は、前記溝の底面上に形成した部分において、凹部を有することを特徴とする請求項１に記載の半導体装置。
【請求項３】
前記第１の導電層は、第２導電型の第４の導電層に積層して形成されていることを特徴とする請求項１に記載の半導体装置。
【発明の詳細な説明】
【０００１】
【発明の属する分野】
本発明は、半導体装置及びその製造法に係り、主として電源回路等に利用されるパワーＭＯＳＦＥＴの構成を有する半導体装置に関するものである。
【０００２】
【従来の技術】
パワーＭＯＳＦＥＴの構成を有する半導体装置において、いわゆるトレンチゲートを形成したものは、近年、ＤＣ−ＤＣコンバータなど各種電源に幅広く応用されている。トレンチゲートを形成した半導体装置においては、例えば特許文献１のように、ゲートトレンチ（溝）をやや深く形成し、深く形成した分だけゲート絶縁膜の底部を厚くして絶縁耐圧を確保することが行われている。
【０００３】
しかし、この手段を用いると、ゲート絶縁膜の外周面の面積が大きくなるので静電容量Ｃｒｓｓも増加し、スイッチング特性を低下させる要因となる。また、ゲートトレンチを深くした場合に、ソース電極膜とドレイン電極膜との間に電圧を印加したときに、ゲート絶縁膜の底部の隅部付近に電界が集中しやすくなる。
【０００４】
そこで、本件発明者らは、上記課題を解決するために、特許文献２、すなわち図６に示すような構造を発明した。図５は、従来技術に係る半導体装置の例を示す断面斜視図である。図５の符号において、２００は半導体装置、２０１はＮ＋型ドレイン層、２０２はＮ−型ドリフト層、２０３はＰ型ボディ層、２０４はＰ＋型拡散領域、２０５はＮ＋型ソース領域、２０６はゲート絶縁膜、２０７はゲート電極膜、２１０はゲートトレンチ、２１１は側壁下部、２１２は側壁上部、２１３は底部、２１５はソース電極膜、２１６はドレイン電極膜を示している。また、図６は、図５のトレンチゲートの拡大図である。図６の符号において、２１７，２１８は隅部である。
【０００５】
図６に示すように、この発明においては、ゲート絶縁膜２０６の側壁下部２１１の膜厚を厚くし、その側壁上部２１２の膜厚を薄くしている。この構造によって、静電容量Ｃｒｓｓを小さくすることでき、同時にゲート絶縁膜２０６の隅部２１８付近の電界が緩和されるので絶縁耐圧の確保も可能となった。
【０００６】
ところが、本発明者のその後の研究により、図５に示した構造について、静電容量Ｃｒｓｓを小さい状態に保つとともに、図６に示したゲート絶縁膜２０６の隅部２１７付近等の電界を緩和しつつ、さらにオン抵抗Ｒｏｎを低減することが可能であることが分かった。
【０００７】
【特許文献１】
特許第２６４７８８４号公報（第３−５頁、図１）
【特許文献２】
特開２００２−２９９６１９号公報（第５−６頁、図２）
【０００８】
【発明が解決しようとする課題】
トレンチゲート型のパワーＭＯＳＦＥＴの構成を有する半導体装置において、ゲート絶縁膜の隅部付近の電界をさらに緩和可能な半導体装置を提供することを目的とするものである。
【０００９】
【課題を解決するための手段】
上記の課題を解決するための手段として、本発明は、第１導電型の第１の導電層と、前記第１の導電層に積層させて形成してなる第１導電型の第２の導電層と、前記第２の導電層に積層させて形成してなる第１導電型とは反対型の第２導電型の第３の導電層と、前記第３の導電層上に選択的に形成してなる第１導電型の第１の導電領域と、前記第３の導電層上に選択的に形成してなる第２導電型の第２の導電領域と、前記第１の導電領域を開口させて前記第２の導電層まで達するように形成してなる溝と、前記溝の側面及び底面上に形成してなる第１の絶縁膜と、
【００１０】
前記第１の絶縁膜の表面上に形成してなるゲート電極膜と、前記第１の絶縁膜及び前記ゲート電極膜上に形成してなる第２の絶縁膜を有し、前記第１の絶縁膜は、前記溝の側面上に形成した部分において、所定深さよりも下方の膜厚が所定深さよりも上方の膜厚よりも厚く形成されてなる半導体装置であって、前記第１の絶縁膜は、前記溝の側面上に形成した部分において、所定深さよりも上方の膜厚はほぼ均一となるように形成され、所定深さよりも下方の膜厚は前記溝の底面に近づくに従って漸次大きくなるように形成されていることを特徴とするものとした。
【００１１】
以上の手段によれば、ゲート電極膜に傾斜を加えたことによってゲート電極膜の隅部付近の電界が緩和される。
【００１２】
さらに、上記手段において、前記第１の絶縁膜は、前記溝の底面上に形成した部分において、凹部を有するようにできる。
【００１３】
くわえて、上記手段において、前記第１の導電層は、第２導電型の第４の導電層に積層して形成されているものにできる。
【００１４】
【発明の実施の形態】
以下に、本発明の第１の実施の形態に係る半導体装置を図面に基づいて詳細に説明する。図１は、本発明の第１の実施の形態に係る半導体装置を示す断面斜視図である。図１の符号において、１００は半導体装置、１０１はＮ＋型ドレイン層、１０２はＮ−型ドリフト層、１０３はＰ型ボディ層、１０４はＰ＋型拡散領域、１０５はＮ＋型ソース領域、１０６はゲート絶縁膜、１０７はゲート電極膜、１０８は上部ゲート絶縁膜、１０９は境界面、１１０はゲートトレンチ、１１１は側壁下部、１１２は側壁上部、１１３は底部、１１４は傾斜面、１１５はソース電極膜、１１６はドレイン電極膜を示している。また、図４は、図１のトレンチゲートの拡大図である。図４の符号において、１１７，１１８は隅部である。
【００１５】
半導体装置１００は、Ｎ＋型ドレイン層１０１上にＮ−型ドリフト層１０２を積層し、さらにＮ−型ドリフト層１０２上にＰ型ボディ領域１０３を積層して形成している。また、Ｐ型ボディ領域１０３の表面近傍に、Ｐ＋型拡散領域１０４をストライプ状に形成している。くわえて、Ｐ＋型拡散領域１０４を両側から挟むように２つのＮ＋型ソース領域１０５を形成している。なお、２つのＮ＋型ソース領域１０５もＰ型ボディ領域１０３の表面近傍に形成されるが、その底部はＰ＋型拡散領域１０４よりもやや浅くなっている。
【００１６】
なお、側壁上部１１２と側壁下部１１１との境界位置は、本件発明者の研究の結果、Ｎ−型ドリフト層１０２とＰ型ボディ領域１０３との境界面１０９よりもやや浅くすることが最も好ましいことが分かった。また、上部ゲート絶縁膜１０８は、Ｎ＋型ソース領域１０５の底部の深さ等設計条件に応じて、その上面をＮ＋型ソース領域１０５の上面より深く、つまりゲートトレンチ１１０の上端よりも下方に位置するように形成しても良い。その場合、ゲートトレンチ１１０の上端付近の空間には、ソース電極膜１１５を充填することが好ましい。このようにすれば、ソース電極膜１１５とＮ＋型ソース領域１０５との接合面の面積が広がるので、ソース電極膜１１５とＮ＋型ソース領域１０５との電気的接続がより確実になる。逆に、上部ゲート絶縁膜１０８の一部がゲートトレンチ１１０の外に出た状態に形成することも可能である。
【００１７】
さらに、各構成要素の詳細な構成について説明する。Ｎ＋型ドレイン層１０１は、Ｎ＋型シリコン基板から形成されている。Ｎ−型ドリフト層１０２は、Ｎ＋型ドレイン層１０１の表面上に、Ｎ型の不純物を含むシリコン膜をエピタキシャル成長させて形成したものであり、Ｎ＋型ドレイン層１０１よりも電気的抵抗が高い。また、Ｐ型ボディ層１０３は、Ｎ−型ドリフト層１０２の表面からＰ型の不純物を注入し、その表面から所定の深さの範囲内にこの不純物を高温で拡散することによって形成している。
【００１８】
Ｐ＋型拡散領域１０４は、Ｐ型ボディ層１０３の表面からＰ型の不純物を選択的に注入し、その表面から所定の深さまでの範囲内に、この不純物を高温で拡散させることによって形成している。Ｎ＋型ソース領域１０５は、Ｎ＋型の不純物を注入して拡散させることによって形成する。
【００１９】
ゲート絶縁膜１０６は、高温の酸素雰囲気中でシリコン酸化膜を成膜することによって形成する。もちろん、酸化シリコンをＣＶＤ法で堆積させて形成することも可能である。また、上部ゲート電極膜１０８は、酸化シリコンをＣＶＤ法で堆積させて形成する。ゲート電極膜１０７は、Ｎ型の不純物を含むポリシリコンを堆積させて形成する。
【００２０】
ゲートトレンチ１１０は、エッチングによってＰ型ボディ層１０３及びＰ＋型拡散領域１０４の表面を開口させ、Ｎ−型ドリフト層１０２まで達する溝を形成したものである。なお、ゲートトレンチ１１０は、図１に示した深さ程度とすることが好ましいが、必要に応じて変更することも可能である。また、図１においては、ゲートトレンチ１１０を奥行き方向に平行に延びるストライプ状のものとして表したが、半導体装置１００を平面的に見たときに、格子模様または煉瓦積み模様を呈するように形成することも可能である。この場合には、メサ部も半導体装置１００を平面的に見たときに、正方形や長方形などを呈するように形成されることになる。
【００２１】
ドレイン電極膜１１１及びソース電極膜１１２は、スパッタリングによって形成する。これらの材料は、Ａｌ−Ｓｉや、Ａｌ−Ｓｉ−Ｃｕなどが好ましいが、これらに限定されるものでなく、それぞれの電極膜として好ましい材料であれば他のものであってもよい。また、これらの形成方法もスパッタリング以外の方法を用いることも可能である。
【００２２】
以上の構成において、ソース電極膜１１５とドレイン電極膜１１６との間に電圧を印加するとともに、ゲート電極膜１０７とソース電極膜１１５との間に閾値以上の電圧を印加すると、Ｐ型ボディ層１０３のゲート絶縁膜１０６との境界近傍に反転層が形成されてチャネルとなる。そして、ドレイン電極膜１１６からソース電極１１５へこのチャネルを通って電流が流れる。また、ゲート電極膜１０７とソース電極膜１１５との間の電圧を所定閾値より低くすれば、このチャネルが消滅して、ドレイン電極膜１１５とソース電極膜１１６との間には電流が流れない。
【００２３】
さて、上述のように、ゲート絶縁膜１０６において、その側壁下部１１１のゲート電極膜１０７と接する面を傾斜面１１４とし、ゲート絶縁膜１０６の隅部１１７，１１８が鈍角となるようにしている。本件発明者の研究結果によれば、隅部１１７，１１８を鈍角としたことによって、これらの付近の電界緩和に顕著な効果があることが分かった。なお、隅部１１７，１１８を鈍角にしても、静電容量Ｃｒｓｓ、オン抵抗Ｒｏｎといった特性に特段の影響を与えることはない。また、傾斜面１１４は、その傾斜角を小さくするとオン抵抗を低減でき、逆に大きくするとゲート容量の低減や電界をさらに緩和できるので、半導体装置１００に求められる機能に応じて適宜設定することことが好ましい。
【００２４】
さらに、本発明の第２の実施の形態に係る半導体装置について説明する。本発明の第２の実施の形態に係る半導体装置を示す断面斜視図である。図２において、１１９は凹部、その他の符号はすべて図１と同じものを示している。この実施の形態においては、ゲート絶縁膜１０６の側壁下部１１１を傾斜面１１４とすることに加えて、ゲート絶縁膜１０６の底部１１３に凹部１１９を形成することによって、ゲート絶縁膜１０６の底部１１３を部分的に薄くしている。このように、ゲート絶縁膜１０６を部分的に薄くすると、構造的には第１の実施の形態よりも複雑になるが、オン抵抗をさらに低減することが可能になる。
【００２５】
なお、傾斜面の中央付近の位置は、本件発明者の研究の結果、Ｎ−型ドリフト層１０２とＰ型ボディ領域１０３との境界面の中央付近よりもやや浅くすることが最も好ましいことが分かった。側壁下部１１１の膜厚Ｔ１と側壁上部１１２の膜厚Ｔ２との比は、Ｔ１／Ｔ２≧１．５とすることが好適であることが分かった。くわえて、ゲート電極膜１０７の形成等に支障がない場合には、この比をＴ１／Ｔ２≧２．０とするとさらに電界が緩和されてより好適であることが分かった。さらに、上部ゲート絶縁膜１０８は、Ｎ＋型ソース領域１０５の底部の深さ等構造上の制約等に応じて、その上面をＮ＋型ソース領域１０５の上面より深く、つまりゲートトレンチ１１０の上端よりも下方に位置するように形成しても良い。その場合、ゲートトレンチ１１０の上端付近の空間には、ソース電極膜１１５を充填することが好ましい。このようにすれば、ソース電極膜１１５とＮ＋型ソース領域１０５との接合面の面積が広がるので、ソース電極膜１１５とＮ＋型ソース領域１０５との電気的接続がより確実になる。逆に、上部ゲート絶縁膜１０８の一部がゲートトレンチ１１０の外に出た状態に形成することも可能である。
【００２６】
なお、上述の凹部１１９を含むゲート絶縁膜１０６の下方の構造については、電界緩和を図るために、以下のような形態にすることができる。図３は、本発明の第２の実施の形態に係る半導体装置の変形例におけるトレンチゲートを示す断面図である。図３おいて、１２０は隅部、その他の符号はすべて図２と同じものを示している。この変形例では、ゲート絶縁膜１０６の隅部１１７，１１８，１２０に丸みを持たせている。したがって、凹部１１９などの近傍において、さらに電界緩和を図ることができる。
【００２７】
以上のように、これらの実施の形態においては、それぞれゲート絶縁膜１０６の側壁下部１１１を傾斜させて隅部１１７，１１８を鈍角にしたことで、これらの付近の電界緩和を実現できた。
【００２８】
なお、これらの実施の形態に係る半導体装置において、ゲート絶縁膜として形成したシリコン酸化膜の一部または全部をシリコン窒化膜で形成することができる。また、ゲート電極膜は、ポリシリコンに代えて金属によって形成することもできる。さらに、ソース電極膜は、ソーストレンチの内部の一部にのみ形成するなど、部分的に形成することも可能である。また、以上の実施の形態に係る半導体装置においては、Ｎチャネルトレンチゲート型パワーＭＯＳＦＥＴの構成を例として取り上げたが、Ｐチャネルトレンチゲート型パワーＭＯＳＦＥＴの場合においても同様の構成を適用できる。この場合、ゲート電極膜は、Ｐ型の不純物を含むポリシリコンを堆積させて形成する。また、トレンチゲートを形成した絶縁ゲート型バイポーラトランジスタ（ＩＧＢＴ）に対しても好ましく適用できる。さらに、Ｎ＋型ドレイン層となるシリコン基板は、シリコンに代えて、炭化ケイ素（ＳｉＣ）など他の材料を用いる場合にも適用できる。
【００２９】
【発明の効果】
以上のように、本発明は、第１導電型の第１の導電層と、前記第１の導電層に積層させて形成してなる第１導電型の第２の導電層と、前記第２の導電層に積層させて形成してなる第１導電型とは反対型の第２導電型の第３の導電層と、
【００３０】
前記第３の導電層上に選択的に形成してなる第１導電型の第１の導電領域と、前記第３の導電層上に選択的に形成してなる第２導電型の第２の導電領域と、前記第１の導電領域を開口させて前記第２の導電層まで達するように形成してなる溝と、前記溝の側面及び底面上に形成してなる第１の絶縁膜と、前記第１の絶縁膜の表面上に形成してなるゲート電極膜と、前記第１の絶縁膜及び前記ゲート電極膜上に形成してなる第２の絶縁膜を有し、前記第１の絶縁膜は、前記溝の側面上に形成した部分において、所定深さよりも下方の膜厚が所定深さよりも上方の膜厚よりも厚く形成されてなる半導体装置であって、前記第１の絶縁膜は、前記溝の側面上に形成した部分において、所定深さよりも上方の膜厚はほぼ均一となるように形成され、所定深さよりも下方の膜厚は前記溝の底面に近づくに従って漸次大きくなるように形成したので、ゲート絶縁膜の隅部付近の電界をさらに緩和することが可能になる。
【００３１】
【図面の簡単な説明】
【図１】本発明の第１の実施の形態に係る半導体装置を示す断面斜視図である。
【図２】本発明の第２の実施の形態に係る半導体装置を示す断面斜視図である。
【図３】図３は、本発明の第２の実施の形態に係る半導体装置の変形例におけるトレンチゲートを示す断面図である。
【図４】図１のトレンチゲートの拡大図である。
【図５】従来技術に係る半導体装置の例を示す断面斜視図である。
【図６】図５のトレンチゲートの拡大図である。
【符号の簡単な説明】
１００  半導体装置
１０１  Ｎ＋型ドレイン層
１０２  Ｎ−型ドリフト層
１０３  Ｐ型ボディ層
１０４  Ｐ＋型拡散領域
１０５  Ｎ＋型ソース領域
１０６  ゲート絶縁膜
１０７  ゲート電極膜
１０８  上部ゲート絶縁膜
１０９  境界面
１１０  ゲートトレンチ
１１１  側壁下部
１１２  側壁上部
１１３  底部
１１４  傾斜面
１１５  ソース電極膜
１１６  ドレイン電極膜
１１７  隅部
１１８  隅部
１１９  凹部
１２０  隅部
２００  半導体装置
２０１  Ｎ＋型ドレイン層
２０２  Ｎ−型ドリフト層
２０３  Ｐ型ボディ層
２０４  Ｐ＋型拡散領域
２０５  Ｎ＋型ソース領域
２０６  ゲート絶縁膜
２０７  ゲート電極膜
２１０  ゲートトレンチ
２１１  側壁下部
２１２  側壁上部
２１３  底部
２１５  ソース電極膜
２１６  ドレイン電極膜
２１７  隅部
２１８  隅部
【図１】
2005019668.tif 000003
【図２】
2005019668.tif 000004
【図３】
2005019668.tif 000005
【図４】
2005019668.tif 000006
【図５】
2005019668.tif 000007
【図６】
2005019668.tif 000008